(57)【要約】【課題】保守点検時に乗りかご上で作業している作業員が乗りかごの上部と昇降路の天井との間に確実に挟まれないようにする。【解決手段】乗りかご７上で作業員が保守点検する際に、乗りかご７を案内するガイドレール１１の上部に、乗りかご７の上昇を制限して乗りかご７の上部と昇降路の天井との間に所定の間隔を保持するストッパー１３を取付け、乗りかご７の異常な上昇をストッパー１３により機械的に確実に防止し、リミットスイッチなどによる電気制御系に何らかのトラブルがあっても乗りかご７の上部と昇降路の天井との間に所定の間隔を保持するようにする。保守点検後にはこのストッパー１３を取り外す。【選択図】　図２
2004115244.tif 000002
【特許請求の範囲】
【請求項１】
巻上機に巻き掛けられた吊りロープの一端側に吊下げられた乗りかごと、他端側に吊下げられたカウンターウエイトとがそれぞれ昇降路内に設けられたガイドレールに案内されて昇降するエレベータにおいて、前記乗りかご上で作業員が保守点検する際に、前記乗りかごを案内するガイドレールの上部に、前記乗りかごの上昇を制限して前記乗りかごの上部と前記昇降路の天井との間に所定の間隔を保持するストッパーを取付け、保守点検後に前記ストッパーを取り外すことを特徴とするエレベータの保守点検方法。
【請求項２】
巻上機に巻き掛けられた吊りロープの一端側に吊下げられた乗りかごと、他端側に吊下げられたカウンターウエイトとがそれぞれ昇降路内に設けられたガイドレールに案内されて昇降するエレベータにおいて、前記乗りかご上で作業員が保守点検する際に、前記カウンターウエイトを案内するガイドレールの下部に、前記カウンターウエイトの下降を制限して前記吊りロープを介して前記乗りかごの上部と前記昇降路の天井との間に所定の間隔を保持するストッパーを取付け、保守点検後に前記ストッパーを取り外すことを特徴とするエレベータの保守点検方法。
【請求項３】
巻上機に巻き掛けられた吊りロープの一端側に吊下げられた乗りかごと、他端側に吊下げられたカウンターウエイトとがそれぞれ昇降路内に設けられたガイドレールに案内されて昇降するエレベータにおいて、前記乗りかごの上部にセフティを設ける一方、このセフティを駆動するブラケットを前記乗りかごを案内するガイドレールに移動自在に設け、前記乗りかご上で作業員が保守点検する際に、前記ブラケットを、前記セフティを駆動させることにより前記乗りかごの上昇が制限されて前記乗りかごの上部と前記昇降路の天井との間に所定の間隔を保持できる位置に移動して固定し、保守点検後に前記ブラケットを前記乗りかごの通常運転に支障のない位置に移動させることを特徴とするエレベータの保守点検方法。
【請求項４】
巻上機に巻き掛けられた吊りロープの一端側に吊下げられた乗りかごと、他端側に吊下げられたカウンターウエイトとがそれぞれ昇降路内に設けられたガイドレールに案内されて昇降するエレベータにおいて、前記カウンターウエイトにセフティを設ける一方、このセフティを駆動するブラケットを前記カウンターウエイトを案内するガイドレールに移動自在に設け、前記乗りかご上で作業員が保守点検する際に、前記ブラケットを、前記セフティを駆動させることにより前記カウンターウエイトの下降が制限されて前記乗りかごの上部と前記昇降路の天井との間に所定の間隔を保持できる位置に移動して固定し、保守点検後に前記ブラケットを前記カウンターウエイトの通常運転に支障のない位置に移動させることを特徴とするエレベータの保守点検方法。
【請求項５】
巻上機に巻き掛けられた吊りロープの一端側に吊下げられた乗りかごと、他端側に吊下げられたカウンターウエイトとがそれぞれ昇降路内に設けられたガイドレールに案内されて昇降するエレベータにおいて、前記乗りかご上で作業員が保守点検する際に、前記カウンターウエイトの下降を制限して前記吊りロープを介して前記乗りかごの上部と前記昇降路の天井との間に所定の間隔を保持するように前記昇降路壁の下部に折り畳み自在に設けられたストッパーを突出させ、保守点検後に前記ストッパーを折り畳むことを特徴とするエレベータの保守点検方法。
【請求項６】
乗りかごまたはカウンターウエイトの昇降路内のガイドレールに、前記乗りかごまたはカウンターウエイトに向けて先細側が配置されるように着脱自在に固定されるくさびで形成された保守点検用ストッパー。
【発明の詳細な説明】
【０００１】
【発明の属する技術分野】
本発明は、エレベータの乗りかご上で作業員が保守点検を行なう場合に好適なエレベータの保守点検方法および保守点検用ストッパーに関するものである。
【０００２】
【従来の技術】
一般に、乗りかご上部および昇降路内に取付けてある機器類を保守点検する場合には、作業員がエレベータの乗りかご上に乗った状態で乗りかごを昇降させながら機器類を保守点検することが行なわれる。この場合、エレベータの乗りかご上で作業員が保守点検しているときに、何らかの原因で乗りかごが上昇して昇降路の天井と乗りかごに作業員が挟まれる危険性をなくすための種々の対策が施されている。その一つの対策として、例えばガイドレールあるいは昇降路壁にリミットスイッチを設け、また乗りかごにそのリミットスイッチを動作させるカムを設け、乗りかごが異常に上昇した場合にはカムがリミットスイッチを動作させることによりその信号に基づき制御装置により乗りかごの上昇を停止させるように安全回路が働く電気制御を行なう手段がある。
【０００３】
【発明が解決しようとする課題】
しかしながら、上記のようなリミットスイッチに頼った電気的な制御のみでは、制御系に何らかの電気的トラブルがあった場合には、乗りかごの上昇を止めることができないおそれがあるので、機械的に確実に乗りかごの上昇を防止できるようにすることが望まれていた。
【０００４】
本発明は、上述の問題点を考慮してなされたもので、保守点検時に乗りかご上で作業している作業員が乗りかごの上部と昇降路の天井との間に確実に挟まれないようにすることのできるエレベータの保守点検方法およびストッパーを提供することを目的とする。
【０００５】
【課題を解決するための手段】
本発明は上記の課題を解決するために、乗りかご上で作業員が保守点検する際に、乗りかごを案内するガイドレールの上部に、乗りかごの上昇を制限して乗りかごの上部と昇降路の天井との間に所定の間隔を保持するストッパーを取付け、保守点検後にこのストッパーを取り外すようにしたことを特徴とする。
【０００６】
このようにすれば、乗りかごの異常な上昇をストッパーにより機械的に確実に防止でき、リミットスイッチなどによる電気制御系に何らかのトラブルがあっても乗りかごの上部と昇降路の天井との間に所定の間隔を保持することができる。
【０００７】
また本発明は、乗りかご上で作業員が保守点検する際に、カウンターウエイトを案内するガイドレールの下部に、カウンターウエイトの下降を制限して吊りロープを介して乗りかごの上部と昇降路の天井との間に所定の間隔を保持するストッパーを取付け、保守点検後にストッパーを取り外すようにしたことを特徴とする。
【０００８】
このようにすれば、カウンターウエイトの下降をストッパーにより機械的に制限することで、吊りロープを介して乗りかごの異常な上昇を確実に防止することができる。
【０００９】
ストッパーは、乗りかごまたはカウンターウエイトの昇降路内のガイドレールに、前記乗りかごまたはカウンターウエイトに向けて先細側が配置されるように着脱自在に固定されるくさびで形成されることが好ましい。
【００１０】
さらに本発明は、乗りかごの上部にセフティを設ける一方、このセフティを駆動するブラケットを、乗りかごを案内するガイドレールに移動自在に設け、乗りかご上で作業員が保守点検する際に、このブラケットを、セフティを駆動させることにより乗りかごの上昇が制限されて乗りかごの上部と昇降路の天井との間に所定の間隔を保持できる位置に移動して固定し、保守点検後にこのブラケットを乗りかごの通常運転に支障のない位置に移動させるようにしたことを特徴とする。
【００１１】
このようにすれば、乗りかごの上昇をブラケットにより駆動されるセフティにより機械的に制限することで、乗りかごの異常な上昇を確実に防止することができ、しかもブラケットは保守点検後に移動させることにより乗りかごの通常運転に支障のない位置に保持しておくことができる。
【００１２】
また本発明は、カウンターウエイトの下部にセフティを設ける一方、このセフティを駆動するブラケットを、カウンターウエイトを案内するガイドレールに移動自在に設け、乗りかご上で作業員が保守点検する際に、このブラケットを、セフティを駆動させることによりカウンターウエイトの下降が制限されて乗りかごの上部と昇降路の天井との間に所定の間隔を保持できる位置に移動して固定し、保守点検後にこのブラケットをカウンターウエイトの通常運転に支障の生じない位置に移動させるようにしたことを特徴とする。
【００１３】
このようにすれば、カウンターウエイトの下降をブラケットにより駆動されるセフティにより機械的に制限することで、吊りロープを介して乗りかごの異常な上昇を確実に防止することができ、しかもブラケットは保守点検後に移動させることによりカウンターウエイトの通常運転に支障のない位置に保持しておくことができる。
【００１４】
さらに本発明は、乗りかご上で作業員が保守点検する際に、カウンターウエイトの下降を制限し吊りロープを介して乗りかごの上部と昇降路の天井との間に所定の間隔を保持するように昇降路壁の下部に折り畳み自在に設けられたストッパーを突出させ、保守点検後にこのストッパーを折り畳むようにしたことを特徴とする。
【００１５】
このようにすれば、カウンターウエイトの下降をストッパーにより機械的に制限することで、吊りロープを介して乗りかごの異常な上昇を確実に防止することができ、しかもストッパーは保守点検後に折り畳むことによりカウンターウエイトの通常運転に支障のない位置に保持しておくことができる。
【００１６】
【発明の実施の形態】
以下、本発明の実施の形態を説明する。図１はロープ式エレベータの基本構成を示す概略構成図である。図１において、昇降路１の上部に機械室２が設けられ、この機械室２に巻上機３、ソラセシーブ４および制御装置５が設置されている。巻上機３およびソラセシーブ４に巻き掛けられた吊りロープ６の一端側には乗りかご７が吊下げられ、他端側にはカウンターウエイト８が吊下げられ、巻上機３が制御装置５により駆動制御されることにより、これら乗りかご７およびカウンターウエイト８が図示しないガイドレールに案内されて昇降するようになっている。
【００１７】
図２は本発明の第１実施の形態に係るエレベータの保守点検方法を示す構成図であり、図３は図２の主要部を矢印Ａ方向にみた拡大断面図である。図２および図３において、乗りかご７は上梁９ａに取付けられたガイドシュー１０ａおよび下梁９ｂにセフティ１１を介して取付けられたガイドシュー１０ｂによりガイドレール１２に案内されて昇降する。このエレベータのガイドレール１２あるいは昇降路壁には図示しないリミットスイッチが設けられ、また乗りかご７にそのリミットスイッチを動作させる図示しないカムが設けられ、乗りかご７が異常に上昇した場合にはカムがリミットスイッチを動作させることによりその信号に基づき制御装置によって乗りかご７の上昇を停止させるような安全回路が設けられている。
【００１８】
本実施の形態では、このエレベータにおける乗りかご７を案内するガイドレール１２の上部に、乗りかご７の異常な上昇を制限し、昇降路の天井１ａと乗りかご７の上部との間に作業員が挟まれないような間隔を保持できる位置にストッパー１３を取付けたところに特徴を有する。このストッパー１３は、一対のクサビ１３ａ，１３ａを有し、それぞれ先細り側を下に向けガイドレール１２の山部１２ａを挟むようにしてボルト，ナット１３ｂにて脱着可能に取付けられたもので、乗りかご７の通常運転時には取り外されており、乗りかご７上に作業員が乗って保守点検運転する際に所定の個所に取付けられる。
【００１９】
またストッパー１３には、ストッパー１３をガイドレール１２に取付けたことを検出する検出スイッチ１４が取付けられており、その検出信号が制御装置に送信されて、ストッパー１３をガイドレール１２に取付けた場合のみ、保守点検時における乗りかご７の保守点検運転を可能とするようになっている。
【００２０】
従って、作業員が乗りかご７上に乗って保守点検する際に上述のようなストッパー１３を取付ければ、保守点検運転中に何らかの理由でリミットスイッチが動作せず、乗りかご７が異常に上昇した場合には、ガイドシュー１０ａがストッパー１３を噛むことにより乗りかご７が機械的に停止されることになる。
【００２１】
ストッパー１３は点検作業後に取り外され、このストッパー１３を取り外したことを検出スイッチ１４が検出した時点で、制御装置は保守点検運転から通常運転に切り替えられる。
【００２２】
このように保守点検時、乗りかご７が異常に上昇した際にはガイドシュー１０ａがストッパー１３を噛むことにより機械的に確実に乗りかご７が停止されることから、何らかの理由で電気的にリミットスイッチが利かなくても乗りかご７を停止することができ、保守点検時に乗りかご７上で作業している作業員が乗りかご７の上部と昇降路の天井１ａとの間に確実に挟まれないようにすることができ、乗りかご７上での点検作業の安全が確保できる。
【００２３】
またストッパー１３はガイドレール１２に対して脱着可能であるため、必要に応じて使用することができる。さらに検出スイッチ１４によりストッパー１３の取り付け状態が検出されたときのみ保守点検運転を許容する電気的な回路を有することから、ストッパー１３の取付け忘れを防止でき、より乗りかご７上における点検作業の安全が確保できる。またストッパー１３を取外さないと通常運転ができないことからストッパー１３の取外し忘れにも対応できる。
【００２４】
図４は本発明の第２実施の形態に係るエレベータの保守点検方法を示す構成図である。本実施の形態においては、保守点検時に、図３に示すストッパーと同様のストッパー１３を、カウンターウエイト８を案内するガイドレール１５の下部に取付けることにより、カウンターウエイト８の異常な下降を制限して吊りロープ６を介して乗りかごの異常な上昇を機械的に停止するようにしたものである。ストッパー１３は先細り側を上に向けてガイドレール１５の所定の個所に脱着自在に取付けられ、カウンターウエイト８の下部に設けられたガイドシュー１０ｃがストッパー１３を噛むことによりカウンターウエイト８の下降が制限され、この時点で巻上機のトラクションが低減し吊りロープ６がスリップすることから乗りかご７の上昇が停止されることになる。このストッパー１３には、図示しないが図３に示す検出スイッチなども取付けられ、保守点検作業後にはストッパー１３とともに取り外される。
【００２５】
このようにしてカウンターウエイト８側にストッパー１３を取付けた場合は、乗りかごの異常な上昇を制限して保守点検時に乗りかご上で作業している作業員が乗りかごの上部と昇降路の天井との間に挟まれないようにすることができる等、第１実施の形態と同様の効果が得られるほか、最下階から昇降路のピットでストッパー１３の取付け作業ができることから、乗りかご上に乗る前に乗りかご上の安全を確保することができる。
【００２６】
図５は本発明の第３実施の形態に係るエレベータの保守点検方法を示す構成図であり、図６（ａ）は図５の主要部を拡大して示す平面断面図、図６（ｂ）は図６（ａ）のｂ−ｂ線に沿った正面断面図である。本実施の形態においては、乗りかご７の上部にセフティ１６を設ける一方、乗りかご７が一定の高さまで上昇した場合に、そのセフティ１６を駆動させるセフティリンク腕１６ａを蹴るブラケット１７を乗りかご７を案内するガイドレール１２に取付けるようにしたものである。
【００２７】
一般的に乗りかご７の下部にはセフティ１１が設けられており、乗りかご７に異常な下降が発生した場合には、調速機ロープに連結されたセフティリンクによりセフティ１１が駆動され、ガイドレール１２を挟持して乗りかご７を停止させるようになっている。このセフティ１１と同様なセフティ１６を乗りかご７の上部に設ける。
【００２８】
セフティ１６は、図６（ａ）および（ｂ）に詳細を示すようＵ字状のバネ板１６ｂの内側に台形状の一対の案内板１６ｃ，１６ｃを設け、この案内板１６ｂ，１６ｂの内側に一対のクサビ１６ｄ，１６ｄを設けている。クサビ１６ｄ，１６ｄは、ガイドレール１２の山部１２ａの両側に配置され、クサビ１６ｄ，１６ｄ自体が強制的に下降され案内板１６ｂ，１６ｂの斜面に沿って案内されることによってガイドレール１２の山部１２ａを挟むように密着して摩擦抵抗を生じさせ、乗りかご７を停止させるようになっている。この一対のクサビ１６ｄ，１６ｄには、連結棒１６ｅ，１６ｅを介してセフティリンク腕１６ａ，１６ａが取付けられており、このセフティリンク腕１６ａ，１６ａは乗りかご７とともに昇降し、ガイドレール１２の上部の所定個所に取付けられたブラケット１７に衝突して下降することによってセフティ１６を駆動することができるようになっている。
【００２９】
ブラケット１７は山形をなし、その中間部がボルト，ナット１８によりガイドレール１２の任意の個所に固定できる脱着自在な構成を有しており、ガイドレール１１に沿って上下方向に移動自在となっている。
【００３０】
従って、作業員が乗りかご７上に乗って保守点検する際には、上述のブラケット１７をガイドレール１２に取付ければ、保守点検運転中に何らかの理由でリミットスイッチが動作せず、乗りかご７が異常に上昇した場合には、ブラケット１７がセフティリンク腕１６ａを蹴ることからセフティ１６を駆動させて乗りかご７の上昇を制限し停止させることができる。
【００３１】
この場合、ガイドレール１２に取付けられるブラケット１７は、上下方向に移動できるために、乗りかご７を強制的に停止させたい任意の高さにセットすれば、乗りかご７を停止させる位置を任意に設定でき、保守点検後には乗りかごの通常運転に支障のない位置に移動させて保管することができる。
【００３２】
図７は本発明の第４実施の形態に係るエレベータの保守点検方法を示す構成図である。本実施の形態においては、上述の第３実施の形態と同様のセフティ１６を逆向きにしてカウンターウエイト８のガイドレール１５側に設け、上述と同様のブラケット１７にてセフティリンク腕１６ａを蹴ることによってセフティ１６を駆動させ、吊りロープ６を介して乗りかご７を停止するようにしたものである。
【００３３】
このようにしてカウンターウエイト８側にセフティ１６およびブラケット１７を取付けた場合は、乗りかご７の異常な上昇を制限して保守点検時に乗りかご上で作業している作業員が乗りかごの上部と昇降路の天井との間に挟まれないようにすることができる等、第３実施の形態と同様の効果が得られるほか、昇降路のピットでブラケット１７の取付け作業ができることから、乗りかご上に乗る前に乗りかご上の安全を確保することができる。
【００３４】
図８および図９は本発明の第５実施の形態に係るエレベータの保守点検方法を示す正面図および平面図である。本実施の形態では、カウンターウエイト８の昇降工程の下部に対向する昇降路壁１９に折り畳み自在なストッパー２０を設け、このストッパー２０を突出させてカウンターウエイト８の異常な下降を制限するようにしたものである。ストッパー２０は蝶番を介して昇降路壁１９に取付けられ、水平方向に９０°回転できるようになっていて昇降路壁１９から突出させたり昇降路壁１９に沿わせたりして折り畳み自在となっている。
【００３５】
またストッパー２０が突出してカウンターウエイト８が下降してきたときにカウンターウエイト８が乗ることができる位置にある場合には、その状態を検出できるスイッチ２１が設けられている。ストッパー２０は、通常運転時には昇降路壁１９に平行に折り畳んでおき、保守点検運転時には９０°移動させて突出させ、カウンターウエイト８が乗る位置に設置される。
【００３６】
従って乗りかご上で作業員が保守点検する際に、昇降路壁１９の下部に折り畳み自在に設けられたストッパー２０を突出させ、保守点検後にこのストッパー２０を折り畳むようにすれば、カウンターウエイト８の異常な下降をストッパー２０により機械的に制限することで、吊りロープ６を介して乗りかごの異常な上昇を確実に防止することができ、しかもストッパー２０は保守点検後に折り畳むことによりカウンターウエイト８の通常運転に支障のない位置に保持しておくことができる。
【００３７】
また検出スイッチ２１によりストッパー２０の突出状態が検出されたときのみ保守点検運転を許可する電気的な回路を有することから、ストッパー２０の突出し忘れを防止でき、より乗りかご７上における点検作業の安全が確保できる。さらにストッパー２０を折り畳まないとカウンターウエイト８の通常運転ができないことからブラケット２０の折り畳み忘れにも対応できる。
【００３８】
【発明の効果】
以上説明したように、本発明のエレベータの保守点検方法によれば、乗りかご上で作業員が保守点検する際に、乗りかごを案内するガイドレールやカウンターウエイト、昇降路等に、乗りかごの上昇を制限して乗りかごの上部と昇降路の天井との間に所定の間隔を保持するストッパーやブラケット等を取付け、保守点検後にこれらストッパーやブラケットを取り外したり、移動させたりするようにしたので、保守点検時に乗りかご上で作業している作業員が乗りかごの上部と昇降路の天井との間に確実に挟まれないようにすることができる。
【図面の簡単な説明】
【図１】ロープ式エレベータの基本構成を示す概略構成図である。
【図２】本発明の第１実施の形態に係るエレベータの保守点検方法を示す構成図である。
【図３】図２の主要部を矢印Ａ方向にみた拡大断面図である。
【図４】本発明の第２実施の形態に係るエレベータの保守点検方法を示す構成図である。
【図５】本発明の第３実施の形態に係るエレベータの保守点検方法を示す構成図である。
【図６】（ａ）は図５の主要部を拡大して示す平面断面図、（ｂ）は（ａ）のｂ−ｂ線に沿った正面断面図である。
【図７】本発明の第４実施の形態に係るエレベータの保守点検方法を示す構成図である。
【図８】本発明の第５実施の形態に係るエレベータの保守点検方法を示す正面図である。
【図９】図８の平面図である。
【符号の説明】
１…昇降路
２…機械室
３…巻上機
４…ソラセシーブ
５…制御装置
６…吊りロープ
７…乗りかご
８…カウンターウエイト
９ａ…上梁
９ｂ…下梁
１０ａ，１０ｂ…ガイドシュー
１１，１６…セフティ
１２，１５…ガイドレール
１３，２０…ストッパー
１３ａ…クサビ
１４，２１…検出スイッチ
１７…ブラケット
１９…昇降路壁
【図１】
2004115244.tif 000003
【図２】
2004115244.tif 000004
【図３】
2004115244.tif 000005
【図４】
2004115244.tif 000006
【図５】
2004115244.tif 000007
【図６】
2004115244.tif 000008
【図７】
2004115244.tif 000009
【図８】
2004115244.tif 000010
【図９】
2004115244.tif 000011